(57)【特許請求の範囲】
【請求項１】
光軸方向に対して垂直に設けられた第１面と、前記第１面に対向する第２面と、を有する第１鏡筒部と、
前記第１鏡筒部の内周側に配置され、前記第１鏡筒部に対して前記光軸方向に進退する第２鏡筒部と、
前記第１鏡筒部と前記第２鏡筒部との間に形成される隙間を遮光し、前記第２鏡筒部の外周側でかつ、前記第１面と前記第２面との間に係合され、前記第２鏡筒部と相対的に光軸方向に進退する環状の遮光部材と、
を備え、
前記遮光部材は、
遮光層と、
前記第１面に略平行であって前記遮光層に貼り付けられる支持層と、
前記支持層に対して前記遮光層とは反対側であって前記第１面に略平行に貼り付けられる弾性層と、
を含み、
前記遮光層および前記弾性層は、前記支持層より弾性係数が小さく、前記光軸方向の最も被写体側寄りおよび最も撮像側寄りの位置には、それぞれ前記遮光層および前記弾性層、または前記弾性層および前記遮光層が設けられている、
レンズ鏡筒。
【発明の詳細な説明】
【技術分野】
【０００１】
ここに開示される技術は、光学系を備えるレンズ鏡筒に関する。
【背景技術】
【０００２】
従来、固定枠の内側において第１回転枠、第１直進枠、第２直進枠および第２回転枠が外側から順次配置されたレンズ鏡筒が知られている（例えば、特許文献１参照）。
【先行技術文献】
【特許文献】
【０００３】
【特許文献１】特開２０１１−４８３４６号公報
【発明の概要】
【０００４】
（発明が解決しようとする課題）
しかしながら、特許文献１に記載のレンズ鏡筒では、第１直進枠の外側に第１回転枠が配置されているので、固定枠に対する第１回転枠の係合位置を、固定枠に対する第１直進枠の係合位置より前方に設ける必要がある。この場合、第１回転枠と直進枠が固定枠に対して最も前側に繰り出した状態で、固定枠と第１回転枠の係合部の強度を上げるには、固定枠の前端部を係合部よりも前側に設ける必要がある。
従って、固定枠のサイズを大きくする必要があるので、レンズ鏡筒をコンパクト化するにも限界がある。
ここに開示される技術は、上述のような状況に鑑みてなされたものであり、落下等の外力に強く、コンパクト化可能なレンズ鏡筒を提供することを目的とする。
【０００５】
（課題を解決するための手段）
ここに開示されるレンズ鏡筒は、円筒状の固定枠と、円筒状の第１直進枠と、円筒状の第１回転枠と、円筒状の第２直進枠と、第２回転枠と、第３直進枠と、を備える。固定枠は、内周面に第１直進溝と第１カム溝とを有する。第１直進枠は、固定枠の径方向内側に配置され、かつ、外周面に第１直進溝に係合される第１直進突起と内周面に第２直進溝とを有する。第１回転枠は、第１直進枠の径方向内側に配置され、かつ、外周面に第１カム溝に係合される第１カムフォロアと内周面から外周面にそれぞれ貫通した第２カム溝および貫通溝と内周面に第３直進溝とを有する。第２直進枠は、回転枠の径方向内側に配置される。第２回転枠は、第２直進枠の径方向内側で第２直進枠と第１バヨネット機構により係合され、かつ、外周面に第３直進溝と係合される第２直進突起を有する。第３直進枠は、第２回転枠の径方向内側で第２回転枠と第２バヨネット機構により係合される。第２直進枠または第３直進枠の一方は、外周面に第２カム溝を介して第２直進溝と係合される直進カムフォロアを有する。第２直進枠または第３直進枠の他方は、外周面に貫通溝を介して第２直進溝と係合される第３直進突起を有する。
【０００６】
（発明の効果）
ここに開示される技術によれば、落下等の外力に強く、コンパクト化可能なレンズ鏡筒を提供することができる。
【図面の簡単な説明】
【０００７】
【図１】デジタルカメラの斜視図
【図２】レンズ鏡筒の斜視図
【図３】レンズ鏡筒の分解斜視図
【図４】固定枠の斜視図
【図５】第１直進枠の斜視図
【図６】第１回転枠の斜視図
【図７】第２直進枠の斜視図
【図８】第２回転枠の斜視図
【図９】第３直進枠の斜視図
【図１０】第１レンズ群枠の斜視図
【図１１】第２レンズ群枠の斜視図
【図１２】シャッター枠の斜視図
【図１３】レンズ鏡筒の模式断面図（沈胴状態）
【図１４】レンズ鏡筒の模式断面図（ワイド状態）
【図１５】レンズ鏡筒の模式断面図（テレ状態）
【図１６】図１５の領域Ｒの拡大図
【図１７】遮光部材の拡大断面図
【発明を実施するための形態】
【０００８】
次に、図面を用いて、本発明の実施形態について説明する。以下の図面の記載において、同一又は類似の部分には、同一又は類似の符号を付している。ただし、図面は模式的なものであり、各寸法の比率等は現実のものとは異なっている場合がある。従って、具体的な寸法等は以下の説明を参酌して判断すべきである。また、図面相互間においても互いの寸法の関係や比率が異なる部分が含まれていることは勿論である。
【０００９】
なお、以下の実施形態では、撮像装置としてデジタルカメラを例に挙げて説明する。以下の説明では、横撮り姿勢のデジタルカメラを基準として、被写体側を「前」、被写体の反対側を「後」、鉛直上側を「上」、鉛直下側を「下」、被写体に向かって右側を「右」、被写体に向かって左側を「左」と表現する。横撮り姿勢とは、デジタルカメラの姿勢の一種であり、横撮り姿勢で撮影する場合、横長矩形画像の長辺方向は画像内における水平方向に略一致する。
【００１０】
〈デジタルカメラ１の構成〉
デジタルカメラ１の構成について、図面を参照しながら説明する。図１は、デジタルカメラ１の斜視図である。図２は、レンズ鏡筒２０の斜視図である。
デジタルカメラ１は、図１に示すように、筐体１０と、レンズ鏡筒２０と、を備える。
筐体１０は、前板１１と、後板１２と、側板１３と、によって構成される。前板１１には、開口１０Ｓが形成されている。
【００１１】
レンズ鏡筒２０は、３段沈胴式のズーム機構を備える。レンズ鏡筒２０は、非撮影時には筐体１０に収容されており、撮影時には開口１０Ｓから前方に繰り出される。具体的に、レンズ鏡筒２０は、図２に示すように、第１移動鏡筒部２１と、第２移動鏡筒部２２と、第３移動鏡筒部２３と、固定鏡筒部２４と、を有している。
第１移動鏡筒部２１は、固定鏡筒部２４に対して繰り出し可能である。第２移動鏡筒部２２は、第１移動鏡筒部２１に対して繰り出し可能である。第３移動鏡筒部２３は、第２移動鏡筒部２２に対して繰り出し可能である。固定鏡筒部２４は、筐体１０内に固定される。レンズ鏡筒２０が繰り出される場合、第１乃至第３移動鏡筒部２１〜２３のうち第３移動鏡筒部２３が最も前方に位置する。
【００１２】
〈レンズ鏡筒２０の詳細構成〉
次に、レンズ鏡筒２０の詳細構成について、図面を参照しながら説明する。図３は、レンズ鏡筒２０の分解斜視図である。
レンズ鏡筒２０の第１乃至第３移動鏡筒部２１〜２３は、光学系の光軸ＡＸに沿って固定鏡筒部２４から繰り出される。光学系には、第１乃至第４レンズ群Ｌ１〜L４が含まれる。なお、以下の説明では、光軸ＡＸに平行な方向を「光軸方向」、光軸方向に垂直な方向を「径方向」、光軸ＡＸを中心とする円に沿った方向を「周方向」と称する。光軸ＡＸは、レンズ鏡筒２０を構成する各枠の軸心と略一致する。
なお、本実施形態において、「直進」とは、周方向に回転することなく光軸方向に移動することを意味する。「移動」は、周方向に回転しながら光軸方向に移動することも含む概念である。
【００１３】
１．第１移動鏡筒部２１
第１移動鏡筒部２１は、第１直進枠１１０、第１回転枠２１０及び第１化粧枠３０１を有する。第１直進枠１１０は、後述する固定枠１００の径方向内側に配置される円筒状の樹脂部材である。第１回転枠２１０は、第１直進枠１１０の径方向内側に配置される円筒状の樹脂部材である。第１化粧枠３０１は、第１直進枠１１０の外周を覆う円筒状の板金部材である。
【００１４】
２．第２移動鏡筒部２２
第２移動鏡筒部２２は、第２直進枠１２０、第２回転枠２２０、第３直進枠１３０、第２レンズ群枠３２０、第２レンズ群Ｌ２、第３レンズ群枠３３０、第３レンズ群Ｌ３、シャッター枠３３５および第２化粧枠３０２を有する。
第２直進枠１２０は、第１回転枠２１０の径方向内側に配置される円筒状の樹脂部材である。第２回転枠２２０は、第２直進枠１２０の径方向内側に配置される円筒状の樹脂部材である。第３直進枠１３０は、第２回転枠２２０の径方向内側に配置される円筒状の樹脂部材である。第２レンズ群枠３２０は、第３直進枠１３０の径方向内側に配置されており、ズーム用の第２レンズ群Ｌ２を支持する。第３レンズ群枠３３０は、シャッター枠３３５に収容され、像ぶれ補正用の第３レンズ群Ｌ３を支持する。第３レンズ群枠３３０は、径方向において揺動自在にシャッター枠３３５によって支持されており、第３レンズ群Ｌ３とともに像ぶれ補正機構を構成している。シャッター枠３３５は、第３直進枠１３０の径方向内側に配置されており、シャッター機構を内蔵する。シャッター枠３３５は、第３レンズ群枠３３０を径方向において揺動自在に支持する。シャッター枠３３５には、制御用フレキシブル配線３３５ａが接続されている。制御用フレキシブル配線３３５ａは、固定枠１００の内周面に沿って配置され、図示しない制御装置に接続されている。制御用フレキシブル配線３３５ａは、後述するシャッター機構や像ぶれ補正機構に制御信号を伝達する。第２化粧枠３０２は、第２直進枠１２０の外周を覆う円筒状の板金部材である。
【００１５】
３．第３移動鏡筒部２３
第３移動鏡筒部２３は、第１レンズ群枠３１０、第１レンズ群Ｌ１および第３化粧枠３０３を有する。
第１レンズ群枠３１０は、第２直進枠１２０と第２回転枠２２０との間に配置される。第１レンズ群枠３１０は、レンズ鏡筒２０内に光を取り込むための第１レンズ群Ｌ１を支持する。第３化粧枠３０３は、第１レンズ群枠３１０の外周を覆う円筒状の板金部材である。
【００１６】
４．固定鏡筒部２４
固定鏡筒部２４は、固定枠１００、第４レンズ群枠３４０、第４レンズ群Ｌ４、ズームモータ２４１、ズームギア２４２、フォーカスモータ２４３、マスターフランジ２４４、撮像素子２４５および撮像素子フレキシブル配線２４５ａを有する。
固定枠１００は、第１直進枠１１０および第１回転枠２１０の径方向外側に配置される円筒状の樹脂部材である。第４レンズ群枠３４０は、マスターフランジ２４４に取り付けられ、フォーカスモータ２４３によって光軸方向に駆動される。第４レンズ群枠３４０は、フォーカス調整用の第４レンズ群Ｌ４を支持する。
【００１７】
ズームモータ２４１は、第１乃至第３移動鏡筒部２１〜２３を繰り出すための駆動源であり、固定枠１００の側面に取り付けられる。ズームギア２４２は、ズームモータ２４１の駆動力を第１回転枠２１０に伝達する。ズームギア２４２の前端は、固定枠１００によって支持され、ズームギア２４２の後端は、マスターフランジ２４４によって支持される。フォーカスモータ２４３は、第４レンズ群枠３４０を光軸方向に駆動するための駆動源であり、マスターフランジ２４４に取り付けられる。マスターフランジ２４４は、固定枠１００の後方を覆う板状の樹脂部材である。撮像素子２４５は、マスターフランジ２４４の中央に嵌め込まれる。撮像素子フレキシブル配線２４５ａは、マスターフランジ２４４の後面に貼り付けられる。撮像素子フレキシブル配線２４５ａは、図示しない制御装置に接続されており、撮像素子２４５からの信号を伝達する。
【００１８】
〈各枠の構成〉
以下において、レンズ鏡筒２０を構成する枠について、図面を参照しながら説明する。具体的には、固定枠１００、第１直進枠１１０、第１回転枠２１０、第２直進枠１２０、第２回転枠２２０、第３直進枠１３０、第１レンズ群枠３１０、第２レンズ群枠３２０およびシャッター枠３３５の構成について順次説明した後に、枠どうしの係合状態について説明する。
【００１９】
１．固定枠１００の構成
図４は、固定枠１００の斜視図である。
固定枠１００は、固定枠本体１０１と、ズームギア支持部１０２と、を有する。
固定枠本体１０１は、円筒状に形成され、内周面１００Ｓと外周面１００Ｔを有する。
前支持部１０２は、外周面１００Ｔから突出するように設けられる。前支持部１０２は、ズームギア２４２の前端を回転自在に支持する。本実施形態において、前支持部１０２は、前板１１によって覆われるため、筐体１０の外部に露出しない（図１参照）。なお、ズームギア２４２の歯部は、固定枠本体１０１の内側に突出している。
【００２０】
また、固定枠１００は、５本の直進溝ａ１と、３本のカム溝ｂ１と、を有する。ただし、図４では、３本の直進溝ａ１と２本のカム溝ｂ１が図示されている。
５本の直進溝ａ１は、光軸方向に沿って内周面１００Ｓに形成されており、周方向において適宜間隔をあけて配置される。
３本のカム溝ｂ１は、光軸方向と交差するように内周面１００Ｓに形成され、周方向において略等ピッチで配置される。
【００２１】
２．第１直進枠１１０の構成
図５は、第１直進枠１１０の斜視図である。
第１直進枠１１０は、直進枠本体１１１と、５つの直進突起Ａ１と、３本の直進溝ａ２と、バヨネット溝ｅ１と、バヨネット突起Ｅ０と、を有する。
直進枠本体１１１は、円筒状に形成され、内周面１１０Ｓと外周面１１０Ｔを有する。
【００２２】
５つの直進突起Ａ１は、外周面１１０Ｔの後端部に立設される。５つの直進突起Ａ１は、固定枠１００の５本の直進溝ａ１に係合される。
３本の直進溝ａ２は、光軸方向に沿って内周面１１０Ｓに形成される。
バヨネット溝ｅ１は、内周面１１０Ｓの後端部において周方向に沿って円弧状に形成される。バヨネット溝ｅ１は、３本の直進溝ａ２と交差している。
バヨネット突起Ｅ０は、内周面１１０Ｓの前端部に配置される。バヨネット突起Ｅ０は、周方向に沿って円弧状に形成される。本実施形態において、バヨネット突起Ｅ０は、周方向において複数本に分断されている。
【００２３】
３．第１回転枠２１０の構成
図６は、第１回転枠２１０の斜視図である。
第１回転枠２１０は、第１回転枠本体２１１と、ギア部２１２と、を有する。
第１回転枠本体２１１は、円筒状に形成され、内周面２１０Ｓと外周面２１０Ｔを有する。
【００２４】
ギア部２１２は、外周面２１０Ｔの後端部に立設されており、周方向に沿って形成される。ギア部２１２がズームギア２４２に噛合することによって、第１回転枠２１０は、ズームモータ２４１の駆動力によって周方向に回転される。なお、図示しないが、ギア部２１２は、第１直進枠１１０の直進突起Ａ１よりも後方に位置している。
【００２５】
また、第１回転枠２１０は、３つのカムフォロアＢ１と、３つのバヨネット突起Ｅ１と、３本のカム溝ｂ２と、バヨネット溝ｅ０と、３本の貫通溝ｄと、３本の直進溝ａ３と、を有する。ただし、図６では、直進溝ａ３は１本だけ図示されている。
３つのカムフォロアＢ１は、外周面２１０Ｔの後端部に立設され、周方向において略等ピッチで配置される。３つのうち２つのカムフォロアＢ１は、ギア部２１２の両端に配置されている。３つのカムフォロアＢ１は、固定枠１００の３つのカム溝ｂ１に係合される。
【００２６】
バヨネット突起Ｅ１は、外周面２１０Ｔの後端部において周方向に沿って形成される。バヨネット突起Ｅ１は、ギア部２１２の前方に配置される。バヨネット突起Ｅ１は、第１直進枠１１０のバヨネット溝ｅ１に係合される。本実施形態において、バヨネット突起Ｅ１とバヨネット溝ｅ１とは、第１回転枠２１０を第１直進枠１１０に回転自在に係合するためのバヨネット機構を構成している。
【００２７】
３本のカム溝ｂ２は、内周面２１０Ｓから外周面２１０Ｔまで第１回転枠本体２１１を貫通している。３本のカム溝ｂ２は、周方向において略等ピッチで配置される。
バヨネット溝ｅ０は、外周面２１０Ｔの前端部に形成される。バヨネット溝ｅ０は、周方向に沿って円弧状に形成される。バヨネット溝ｅ０は、３本のカム溝ｂ２と交差している。バヨネット溝ｅ０には、バヨネット突起Ｅ０が係合される。
【００２８】
３本の貫通溝ｄは、内周面２１０Ｓから外周面２１０Ｔまで第１回転枠本体２１１を貫通している。３本の貫通溝ｄは、周方向において略等ピッチで配置される。なお、３本の貫通溝ｄは、第３直進枠１３０を駆動するためのカム機構の一部として機能する。
本実施形態において、３本のカム溝ｂ２と３本の貫通溝ｄとは、周方向において交互に配置されている。
３本の直進溝ａ３は、内周面２１０Ｓにおいて光軸方向に沿って形成される。３本の直進溝ａ３のうち２つは近接しており、残り一つは１２０°〜１８０°離れて形成される。
【００２９】
４．第２直進枠１２０の構成
図７は、第２直進枠１２０の斜視図である。
第２直進枠１２０は、直進枠本体１２１と、第２直進枠１２０は、３つの直進カムフォロアＡＢ２と、３本の直進溝ａ４と、バヨネット溝ｅ２と、を有する。
直進枠本体１２１は、円筒状に形成され、内周面１２０Ｓと外周面１２０Ｔを有する。
【００３０】
３つの直進カムフォロアＡＢ２は、外周面１２０Ｔの後端部に立設され、周方向において略等ピッチで配置される。３つの直進カムフォロアＡＢ２は、第１回転枠２１０の３本のカム溝ｂ２に係合される。また、３つの直進カムフォロアＡＢ２は、３本のカム溝ｂ２に挿通され、かつ、第１直進枠１１０の３本の直進溝ａ２に係合される。
【００３１】
３本の直進溝ａ４は、光軸方向に沿って内周面１２０Ｓに形成される。３本の直進溝ａ４は、周方向において略等ピッチで配置される。
バヨネット溝ｅ２は、周方向に沿って内周面１２０Ｓの後端部に形成される。バヨネット溝ｅ２は、３本の直進溝ａ４と交差している。
【００３２】
５．第２回転枠２２０の構成
図８は、第２回転枠２２０の斜視図である。
第２回転枠２２０は、第２回転枠本体２２１と、３つの直進突起Ａ３と、３つのバヨネット突起Ｅ２と、２本のバヨネット溝ｅ３と、３本のカム溝ｂ３と、３本のカム溝ｂ４と、３本のカム溝ｂ５と、を有する。ただし、図８では、カム溝ｂ３、カム溝ｂ４、カム溝ｂ５が各々２本ずつ図示されている。
第２回転枠本体２２１は、円筒状に形成され、内周面２２０Ｓと外周面２２０Ｔを有する。
【００３３】
３つの直進突起Ａ３は、外周面２２０Ｔの後端部に立設され、周方向において３つの直進突起Ａ３のうち２つは近接しており、残り一つは近接する２つの直進突起Ａ３から１２０°以上離れて形成される。３つの直進突起Ａ３は、第１回転枠２１０の３つの直進溝ａ３に係合される。
３つのバヨネット突起Ｅ２は、外周面２２０Ｔの後端部において周方向に沿って形成される。３つのバヨネット突起Ｅ２は、３つの直進突起Ａ３より前方に配置される。バヨネット突起Ｅ２は、第２直進枠１２０のバヨネット溝ｅ２に係合される。本実施形態において、バヨネット突起Ｅ２とバヨネット溝ｅ２とは、第２回転枠２２０を第２直進枠１２０に回転自在に係合するためのバヨネット機構を構成している。
【００３４】
２本のバヨネット溝ｅ３は、周方向に沿って内周面２２０Ｓの略中央部に形成される。２本のバヨネット溝ｅ３は、互いに平行に形成される。２本のバヨネット溝ｅ３は、カム溝ｂ４およびカム溝ｂ５と交差する。
３本のカム溝ｂ３は、光軸方向と交差するように外周面２２０Ｔに形成され、周方向において略等ピッチで配置される。
カム溝ｂ４およびカム溝ｂ５は、内周面２２０Ｓに形成される。カム溝ｂ４およびカム溝ｂ５は、互いに交差する。
【００３５】
６．第３直進枠１３０の構成
図９は、第３直進枠１３０の斜視図である。
第３直進枠１３０は、直進枠本体１３１と、フランジ部１３２と、３つの貫通突起ＡＤと、を有する。
直進枠本体１３１は、円筒状に形成され、内周面１３０Ｓと外周面１３０Ｔを有する。
フランジ部１３２は、円環状に形成され、外周面１３０Ｔの後端部上に立設されている。
【００３６】
３つの貫通突起ＡＤは、フランジ部１３２の外側面に立設され、周方向において略等ピッチで配置される。３つの貫通突起ＡＤは、第１回転枠２１０の３本の貫通溝ｄに挿通され、かつ、第１直進枠１１０の３本の直進溝ａ２に係合される。本実施形態において、３つの貫通突起ＡＤは、第３直進枠１３０を駆動するためのカム機構として、３本の貫通溝ｄとともに機能する。
【００３７】
また、第３直進枠１３０は、２つのバヨネット突起Ｅ３と、３つの直進溝ａ５と、３つの直進溝ａ６と、を有する。ただし、図９では、バヨネット突起Ｅ３は２つだけ図示されている。
２つのバヨネット突起Ｅ３は、外周面１３０Ｔの略中央部において周方向に沿って形成される。２つのバヨネット突起Ｅ３は、互いに平行に形成される。２つのバヨネット突起Ｅ３は、第２回転枠２２０の２本のバヨネット溝ｅ３に係合される。本実施形態において、バヨネット突起Ｅ３とバヨネット溝ｅ３とは、第３直進枠１３０を第２回転枠２２０に回転自在に係合するためのバヨネット機構を構成している。
【００３８】
３つの直進溝ａ５は、内周面１３０Ｓから外周面１３０Ｔまで直進枠本体１３１を貫通している。３つの直進溝ａ５は、光軸方向に沿って延びており、周方向において略等ピッチで配置される。
３つの直進溝ａ６は、内周面１３０Ｓから外周面１３０Ｔまで直進枠本体１３１を貫通している。３つの直進溝ａ６は、光軸方向に沿って延びており、周方向において略等ピッチで配置される。
本実施形態において、３つの直進溝ａ５と３つの直進溝ａ６とは、周方向において交互に配置されている。
【００３９】
７．第１レンズ群枠３１０の構成
図１０は、第１レンズ群枠３１０の斜視図である。
第１レンズ群枠３１０は、第１レンズ群枠本体３１１と、３つの直進突起Ａ４と、３つのカム突起Ｂ３と、を有する。
【００４０】
第１レンズ群枠本体３１１は、円筒状に形成され、内周面３１０Ｓと外周面３１０Ｔを有する。第１レンズ群枠本体３１１には、後方に向かって突出する３つの突出部３１１ａが形成されている。
３つの直進突起Ａ４は、突出部３１１ａの外周面３１０Ｔに立設され、周方向において略等ピッチで配置される。３つの直進突起Ａ４は、第２直進枠１２０の３本の直進溝ａ４に係合される。
【００４１】
３つのカム突起Ｂ３は、突出部３１１ａの内周面３１０Ｓに立設され、周方向において略等ピッチで配置される。３つのカム突起Ｂ３は、第２回転枠２２０の３本のカム溝ｂ３に係合される。
本実施形態において、３つの直進突起Ａ４と３つのカム突起Ｂ３とは、突出部３１１ａを挟んで略反対に配置されている。
【００４２】
８．第２レンズ群枠３２０の構成
図１１は、第２レンズ群枠３２０の斜視図である。
第２レンズ群枠３２０は、第２レンズ群枠本体３２１と、３つの直進突起Ａ５と、３つのカム突起Ｂ４と、を有する。
第２レンズ群枠本体３２１は、コップ状に形成され、外周面３２０Ｔを有する。
【００４３】
３つの直進突起Ａ５は、外周面３２０Ｔの後端部上に形成され、周方向において略等ピッチで配置される。３つの直進突起Ａ５は、第３直進枠１３０の３本の直進溝ａ５に係合される。
３つのカム突起Ｂ４は、３つの直進突起Ａ５上に形成される。３つのカム突起Ｂ４は、第２回転枠２２０の３本のカム溝ｂ４に係合される。
【００４４】
９．第３レンズ群枠３３０の構成
図１２では、シャッター枠３３５の内部に第３レンズ群枠３３０が収容された状態が図示されている。図１２を用いて、第３レンズ群枠３３０の構成を説明する。
第３レンズ群枠３３０すなわちＯＩＳ（Ｏｐｔｉｃａｌ  Ｉｍａｇｅ  Ｓｔａｂｉｌｉｚｅｒ）ユニットは、主に、ＯＩＳ枠４００と、退避レンズ枠４０１と、像ぶれ補正用の第３レンズ群Ｌ３と、を有している。
【００４５】
ＯＩＳ枠４００は、シャッター枠３３５に装着されている。具体的には、ＯＩＳ枠４００は、光軸と垂直な面内で移動可能である。より具体的には、図示しないマグネットが、ＯＩＳ枠４００に固定されており、図示しないコイルが、マグネットに対向する位置においてシャッター枠３３５に固定されている。この状態において、電力が、図示しないカメラ回路からシャッター枠のコイルに供給されると、コイルに電流が流れ磁界が発生する。この磁界によってＯＩＳ枠４００のマグネットが駆動され、この駆動力によりＯＩＳ枠４００が光軸と垂直な面内で移動する。
【００４６】
退避レンズ枠４０１は、光軸と略平行な退避軸回りに移動可能に、ＯＩＳ枠４００に保持されている。退避レンズ枠４０１は、第３レンズ群Ｌ３が像ぶれ補正を実行可能な補正可能位置（第１姿勢）から、第３レンズ群Ｌ３が光軸から退避した退避位置（第２姿勢）へと、その位置を変更可能である。退避レンズ枠４０１は、少なくとも１つのレンズから構成される第３レンズ群Ｌ３を、保持している。
【００４７】
１０．シャッター枠３３５の構成
続いて、図１２を参照しながら、シャッター枠３３５の構成について説明する。
シャッター枠３３５は、シャッター枠本体３３６と、３つの直進突起Ａ６と、３つのカム突起Ｂ５と、を有する。
シャッター枠本体３３６は、円筒状に形成され、外周面３３５Ｔを有する。
【００４８】
３つの直進突起Ａ６は、外周面３３５Ｔ上に形成され、周方向において略等ピッチで配置される。３つの直進突起Ａ６は、第３直進枠１３０の３本の直進溝ａ６に係合される。
３つのカム突起Ｂ５は、３つの直進突起Ａ６の前端部に立設される。３つのカム突起Ｂ５は、第２回転枠２２０の３本のカム溝ｂ５に係合される。
【００４９】
１１．枠どうしの係合
図１３乃至図１５は、レンズ鏡筒２０の断面図である。ただし、図１３乃至図１５は、光軸ＡＸを通る複数の切断面が組み合わされた模式図である。なお、図１３では、レンズ鏡筒２０の沈胴状態が図示され、図１４では、レンズ鏡筒２０のワイド状態が図示され、図１５では、レンズ鏡筒２０のテレ状態が図示されている。本実施形態において、デジタルカメラ１の撮影可能状態とは、レンズ鏡筒２０のワイド状態からテレ状態までの状態を意味する。
【００５０】
第１回転枠２１０のギア部２１２は、ズームギア２４２に噛合される（不図示）。第１回転枠２１０のカムフォロアＢ１は、固定枠１００のカム溝ｂ１に係合される。従って、第１回転枠２１０は、ズームモータ２４１の駆動力によって周方向に回転しながら光軸方向に移動可能である。
第１直進枠１１０の直進突起Ａ１は、固定枠１００の直進溝ａ１に係合される。第１直進枠１１０のバヨネット溝ｅ１には、第１回転枠２１０のバヨネット突起Ｅ１が係合される。従って、第１直進枠１１０は、第１回転枠２１０とともに光軸方向に直進可能である。
【００５１】
第２直進枠１２０の直進カムフォロアＡＢ２は、第１回転枠２１０のカム溝ｂ２に挿通され、かつ、第１直進枠１１０の直進溝ａ２に係合される。従って、第２直進枠１２０は、第１回転枠２１０の回転に応じて、光軸方向に直進可能である。
第２回転枠２２０の直進突起Ａ３は、第１回転枠２１０の直進溝ａ３に係合される。また、第２回転枠２２０のバヨネット突起Ｅ２は、第２直進枠１２０のバヨネット溝ｅ２に係合される。従って、第２回転枠２２０は、第１回転枠２１０とともに周方向に回転しながら、第２直進枠１２０とともに光軸方向に移動可能である。
【００５２】
第３直進枠１３０の貫通突起ＡＤは、第１回転枠２１０の貫通溝ｄに挿通され、かつ、第１直進枠１１０の直進溝ａ２に係合される。また、第３直進枠１３０のバヨネット突起Ｅ３は、第２回転枠２２０のバヨネット溝ｅ３に係合される。従って、第３直進枠１３０は、第２回転枠２２０の回転に応じて光軸方向に直進可能である。
第１レンズ群枠３１０の直進突起Ａ４は、第２直進枠１２０の直進溝ａ４に係合される。また、第１レンズ群枠３１０のカム突起Ｂ３は、第２回転枠２２０のカム溝ｂ３に係合される。従って、第１レンズ群枠３１０は、第２回転枠２２０の回転に応じて、光軸方向に直進可能である。
【００５３】
第２レンズ群枠３２０の直進突起Ａ５は、第３直進枠１３０の直進溝ａ５に係合される。また、第２レンズ群枠３２０のカム突起Ｂ４は、第２回転枠２２０のカム溝ｂ４に係合される。従って、第２レンズ群枠３２０は、第２回転枠２２０の回転に応じて、光軸方向に直進可能である。
シャッター枠３３５の直進突起Ａ６は、第３直進枠１３０の直進溝ａ６に係合される。また、シャッター枠３３５のカム突起Ｂ５は、第２回転枠２２０のカム溝ｂ５に係合される。従って、シャッター枠３３５は、第２回転枠２２０の回転に応じて、光軸方向に直進可能である。
【００５４】
シャッター枠３３５には、第３レンズ群枠３３０が装着されており、シャッター枠３３５が第３直進枠１３０に対して光軸方向に直進すると、第３レンズ群枠３３０の退避レンズ枠４０１が、図示しない退避機構によって回動させられる。これにより、沈胴状態から撮影可能状態に移行する際には、退避レンズ枠４０１は、退避位置から補正可能位置へと移動する。また、撮影可能状態から沈胴状態に移行する際には、退避レンズ枠４０１は、補正可能位置から退避位置へと移動する。退避レンズ枠４０１が補正可能位置に配置された場合、第３レンズ群L３は、光軸と垂直な面内で移動可能である。すなわち、この状態では、像ぶれ補正が可能である。
【００５５】
以上のように、ズームモータ２４１の駆動力による第１回転枠２１０および第２回転枠２２０の回転によって、第１乃至第３直進枠１１０〜１３０と各レンズ群枠３１０，３２０，３３５の直進が実現されている。
【００５６】
１２．遮光部材
次に、図面を参照しながら、第１乃至第３移動鏡筒部２１〜２３どうしの間に配置される遮光部材について説明する。図１６は、図１５の領域Ｒの拡大図である。
【００５７】
図１６に示すように、デジタルカメラ１は、第１遮光部材５１０及び第２遮光部材５２０を備える。
第１遮光部材５１０は、第１移動鏡筒部２１及び第２移動鏡筒部２２の間に配置される環状部材である。第１遮光部材５１０は、第１移動鏡筒部２１と第２移動鏡筒部２２の隙間から外光が内部に入射することを抑制する。具体的に、第１遮光部材５１０は、第１回転枠２１０と、第１直進枠１１０に接着固定された第１化粧枠３０１のうち第１回転枠２１０の前方を覆う前方被覆部３０１ａと、の間に配置される。すなわち、第１遮光部材５１０は、第１回転枠２１０の前端面２１０Ｒと、前方被覆部３０１ａの後面３０１Ｒと、に挟まれている。また、第１回転枠２１０の前端面２１０Ｒにおける径方向外側には、光軸方向へ立設された側面２１０Ｕが形成されている。そのため、第１遮光部材５１０は、径方向への位置を規制されている。そして、第１遮光部材５１０は、第２化粧枠３０２の外周に嵌まっている。そのため、第２化粧枠３０２が繰り出す際には、第１遮光部材５１０は、第２化粧枠３０２の外周との接触摩擦により、前方被覆部３０１ａの後面３０１Ｒに当接され、第２化粧枠３０２が収納される際には、第１回転枠２１０の前端面２１０Ｒに当接される。つまり、第１遮光部材５１０は、第２化粧枠３０２の外周と常に接触若しくは断続的に接触又は小さな隙間を維持したまま、前方被覆部３０１ａの後面３０１Ｒと、第１回転枠２１０の前端面２１０Ｒとの間の隙間をわずかに移動する。よって、第１遮光部材５１０は、第１移動鏡筒部２１と第２移動鏡筒部２２との隙間から外光が内部に入射することを抑制する。
【００５８】
第２遮光部材５２０は、第２移動鏡筒部２２及び第３移動鏡筒部２３の間に配置される環状部材である。第２遮光部材５２０は、第２移動鏡筒部２２と第３移動鏡筒部２３の隙間から外光が内部に入射することを抑制する。具体的に、第２遮光部材５２０は、第２直進枠１２０と、第２直進枠１２０に接着固定された第２化粧枠３０２のうち第２直進枠１２０の前方を覆う前方被覆部３０２ａと、の間に配置される。すなわち、第２遮光部材５２０は、第２直進枠１２０の前端面１２０Ｒと、前方被覆部３０２ａの後面３０２Ｒと、の間に配置される。第２遮光部材５２０は、第３化粧枠３０３の外周に嵌まっており、第３化粧枠３０３が繰り出す際には、第２遮光部材５２０は、第３化粧枠３０３の外周との接触摩擦により、前方被覆部３０２ａの後面３０２Ｒに当接され、第３化粧枠３０３が収納される際には、第２直進枠１２０の前端面１２０Ｒに当接される。
【００５９】
ここで、第１遮光部材５１０の構成について説明する。図１７は、第１遮光部材５１０の拡大断面図である。なお、第２遮光部材５２０は、第１遮光部材５１０と同様の構成を有しているため、第１遮光部材５１０の構成についてのみ説明する。
図１７に示すように、第１遮光部材５１０は、遮光層５０１と、支持層５０２と、弾性層５０３と、によって構成されている。
【００６０】
遮光層５０１は、例えば樹脂フィルムの表面に遮光層を形成することによって構成されている。遮光層５０１は、第１回転枠２１０の前端面２１０Ｒと対向するように配置されている。遮光層５０１の内径は、第２化粧枠３０２の外径と略同じか小さくなっている。
支持層５０２は、遮光部材５２０全体の剛性を確保するために、ＰＥＴ（Poly-Ethylene-Terephthalate）樹脂などの比較的剛性の高い、すなわち硬く弾性係数の大きい、材料によって構成されている。ＰＥＴ層５０２は、遮光層５０１が折れ曲がらないように、遮光層５０１を支持している。支持層５０２は、第１接着層５００ａを介して、遮光層５０１の前面５０１Ｒ側に貼り付けられている。
【００６１】
弾性層５０３は、例えばネオプレンゴムなどの比較的剛性の低い、すなわち柔らかく弾性係数の小さい、材料によって構成されている。弾性層５０３は、第２接着層５００ｂを介して支持層５０２の前面５０２Ｒ側に貼り付けられている。弾性層５０３は、支持層５０２と第１化粧枠３０１の前方被覆部３０１ａとの間に挟まれる（図１６参照）。従って、弾性層５０３は、第２化粧枠３０２が繰り出される際、前方被覆部３０１ａの後面３０１Ｒに当接される。
【００６２】
一方、従来の遮光部材は、環状部材であり、光軸方向後ろ側から順に、ゴム材料などの遮光層、接着層、ＰＥＴ樹脂などの支持層が層状に構成されていた。遮光部材は内径に嵌まる筒が移動する際には、互いが接触しているので、振動したり、移動方向が反転した際に揺動したりするが、この従来構成であると、遮光部材が周囲の部材と接触し、異音が発生することがあった。特に、ＰＥＴ樹脂などの支持層が周囲の部材と接触すると、大きな異音が発生することがあった。
【００６３】
そこで、発明者は、異音を抑制するために、遮光部材の振動の低減または接触部の衝撃力の低減を考えた。遮光部材の振動を低減するには、ダンパー効果のある粘性を有した材料で、遮光部材を構成すれば良いと考えた。接触部の衝撃力を抑えるには、柔らかい、すなわち弾性係数の小さい材料で、遮光部材を構成すれば良いと考えた。
支持層は、比較的粘性が小さく、弾性係数の大きい材料なので、振動を抑制するダンパー効果も小さく、衝撃力を抑制しにくい。そのため、従来の構成の遮光部材を用いると、ズーム中に遮光部材の振動又は揺動による異音が発生することがあった。
【００６４】
一方、支持層を遮光層と同じような、ダンパー効果のある粘性を有し、かつ、柔らかい即ち弾性係数の小さい材料で構成すると、遮光部材の振動又は揺動は抑制できる。しかし、遮光部材全体が柔らかくなってしまうため、ズーム中に遮光部材が化粧枠との接触摩擦により、化粧枠の隙間から外側にはみ出してくることがあった。
しかしながら、実施の形態１において、第１遮光部材５１０の弾性層５０３が、前方被覆部３０１ａの後面３０１Ｒと支持層５０２の間に配置されている。すなわち、弾性係数の大きい材料で構成され支持層５０２の前後には、遮光層５０１および弾性層５０３が接着されている。そして、遮光層５０１および弾性層５０３は、いずれも粘性を有し、弾性係数の小さい材料で構成されている。そのため、第１遮光部材５１０は、ダンパー効果があり、かつ、接触部の衝撃力を抑えることができる。したがって第１遮光部材５１０は、支持層５０２が前方被覆部３０１ａの後面３０１Ｒと擦れることによる異音の発生とを抑制することができる。
【００６５】
さらに、支持層５０２は、弾性係数の大きい材料で構成されているため、第１遮光部材５１０全体として、弾性係数の大きい状態を保つことができる。従って、ズーム中に第１遮光部材５１０が第１化粧枠３０１と第２化粧枠３０２の隙間から外側にはみ出してくるということも抑制される。
なお、第１遮光部材５１０の弾性層５０３は、支持層５０２に貼り付けられていなくてもよく、前方被覆部３０１ａの後面３０１Ｒに貼り付けられていてもよい。しかし、弾性層５０３および遮光層５０１が支持層５０２の両面に貼り付けられていた方が、弾性層５０３のダンパー効果により、第１遮光部材５１０全体の振動又は揺動を抑制することができるため、好ましい。
【００６６】
また、遮光層５０１は、例えばネオプレンゴムなどの比較的剛性の低い、すなわち柔らかく弾性係数の小さい、材料に遮光性を持たせたものであってもよい。
遮光層５０１及び弾性層５０３の材料は、ダンパー効果のある粘性をもち、弾性係数の小さい材料が適している。遮光層５０１及び弾性層５０３の材料として、例えば、ゴム、発砲ポリウレタン、発砲ポリマーなど、弾性係数が、０．００１〜０．２Ｇｐａ程度の材料を用いることができる。
【００６７】
支持層５０２の材料は、遮光層５０１及び弾性層５０３の材料より弾性係数の大きい材料が適している。支持層５０２の材料として、例えば、ＰＥＴ、ＰＣ（Polycarbonate）、ＰＳ（Polystyrene）、ナイロン、アクリル、ポリイミド、アルミ合金、鉄、ステンレスなど、弾性係数が、１．０〜５００．０ＧＰａ程度の材料を用いることができる。
また、第１遮光部材５１０を構成する層状部材のうち、少なくとも遮光層５０１の内径が、第２化粧枠３０２の外径と略同じか小さくなっていればよい。
【００６８】
ここで、第１遮光部材５１０及び第２遮光部材５２０の特徴を以下に付記しておく。
レンズ鏡筒は、
第１枠と、
前記第１枠の外側に配置される筒状の第２枠と、
前記第２枠の外側に配置され、前記第２枠の前方を覆う前方被覆部を有する筒状の第３枠と、
前記第２枠の前端面と、前記前方被覆部のうち前記前端面と対向する対向面と、の間に配置され、前記第１枠の外周に取り付けられた環状の遮光部材と、
を備え、
前記遮光部材は、
前記第２枠の前記前端面と対向する遮光層と、
前記遮光層の前記対向面側に貼り付けられる支持層と、
前記支持層と前記対向面との間に配置される弾性層と、
を含み、
遮光層および弾性層は、支持層より弾性係数が小さい。
【００６９】
〈レンズ鏡筒２０の組立て方法〉
以下において、レンズ鏡筒２０の組立て方法について説明する。
まず、第２回転枠２２０の後方から第３直進枠１３０を挿入する。続いて、第３直進枠１３０を周方向に回転させてテレ状態にする。
次に、第３直進枠１３０の後方から第２レンズ群枠３２０を挿入する。
次に、ＯＩＳ枠４００の前方から退避レンズ枠４０１を挿入し、退避レンズ枠４０１にＯＩＳ枠４００を回動可能に取り付ける。
【００７０】
次に、シャッター枠３３５の前方からＯＩＳ枠４００を挿入する。
次に、第３直進枠１３０の後方からシャッター枠３３５を挿入する。
続いて、第２レンズ群枠３２０を周方向に回転させて沈胴状態にする。
次に、第１レンズ群枠３１０の後方から第２回転枠２２０を挿入する。
次に、第１レンズ群枠３１０の前方から第２直進枠１２０を被せる。
【００７１】
次に、第１直進枠１１０の後方から第１回転枠２１０を挿入する。続いて、第１回転枠２１０の後方から第２直進枠１２０を挿入する。
次に、固定枠１００の後方から第１直進枠１１０を挿入する。
最後に、各枠を回転させることによって沈胴状態にする。
【００７２】
〈作用及び効果〉
（１）レンズ鏡筒２０は、円筒状の固定枠１００と、円筒状の第１直進枠１１０と、円筒状の第１回転枠２１０と、円筒状の第２直進枠１２０と、第２回転枠２２０と、第３直進枠１３０と、を備える。
固定枠１００は、内周面１００Ｓに形成される直進溝ａ１（第１直進溝の一例）とカム溝ｂ１（第１カム溝の一例）とを有する。
【００７３】
第１直進枠１１０は、固定枠１００の径方向内側に配置される。第１直進枠１１０は、外周面１１０Ｔに形成され、直進溝ａ１に係合される直進突起Ａ１（第１直進突起の一例）と、内周面１１０Ｓに形成される直進溝ａ２（第２直進溝の一例）と、を有する。
第１回転枠２１０は、第１直進枠１１０の径方向内側に配置される。第１回転枠２１０は、外周面２１０Ｔに形成され、カム溝ｂ１に係合されるカムフォロアＢ１（第１カムフォロアの一例）と、内周面２１０Ｓから外周面２１０Ｔまで第１回転枠本体２１１を貫通するカム溝ｂ２（第２カム溝の一例）と、内周面２１０Ｓから外周面２１０Ｔまで第１回転枠本体２１１を貫通する貫通溝ｄと、内周面２１０Ｓに形成される直進溝ｂ３（第３直進溝の一例）と、を有する。
【００７４】
第２直進枠１２０は、第１回転枠２１０の径方向内側に配置される。
第２回転枠２２０は、第２直進枠１２０の径方向内側に配置される。第２回転枠２２０は、第２直進枠１２０とバヨネット機構（バヨネット突起Ｅ２とバヨネット溝ｅ２、第１バヨネット機構の一例）により係合される。第２回転枠２２０は、外周面２２０Ｔに直進溝ａ３と係合される直進突起Ａ３（第２直進突起の一例）を有する。
【００７５】
第３直進枠１３０は、第２回転枠２２０の径方向内側に配置される。第３直進枠１３０は、第２回転枠２２０とバヨネット機構（バヨネット突起Ｅ３とバヨネット溝ｅ３、第２バヨネット機構の一例）により係合される。
第２直進枠１２０は、外周面１２０Ｔに形成され、第１回転枠２１０のカム溝ｂ２を介して第１直進枠１１０の直進溝ａ２と係合される直進カムフォロアＡＢ２（直進カムフォロアの一例）を有する。
【００７６】
第３直進枠１３０は、外周面１３０Ｔに形成され、第１回転枠２１０の貫通溝ｄを介して第１直進枠１１０の直進溝ａ２と係合される貫通突起ＡＤ（第３直進突起の一例）を有する。
このように、第１回転枠２１０の外側に第１直進枠１１０が配置されているので、第１回転枠２１０のカムフォロアＢ１を第１直進枠１１０の第１直進突起Ａ１より光軸方向後ろ側に配置できる。そのため、第１直進枠１１０の外側に第１回転枠２１０が配置される場合に比べて、レンズ鏡筒２０の光軸方向における全長を大きくすることなく、第１回転枠２１０のカムフォロアＢ１と係合する固定枠１００の第１直進溝ａ１の光軸方向前側端部の壁を分厚くすることができる。従って、第１回転枠２１０の固定枠１００に対する移動量を維持しつつ、すなわちズーム倍率を維持しつつ、レンズ鏡筒２０をコンパクト化できるとともに、落下等の外力に対する強度を向上させることができる。
【００７７】
また、第１回転枠２１０のギア部２１２を第１直進枠１１０の直進突起Ａ１の後方に配置できるので、図１に示すとおり、筐体１０から固定枠１００の前支持部１０２が突出することを抑制できる。従って、カメラのデザイン性も向上できる。
さらに、第２直進枠１２０および第３直進枠１３０それぞれは、第１直進枠１１０に対して互いに独立して直進ガイドされている。そのため、第２直進枠１２０と第３直進枠１３０を光軸方向に係止することで互いの相対回転を抑止する場合に比べて、第２回転枠２２０の回転角を大きくすることができる。その結果、コンパクトなレンズ鏡筒２０においてズーム倍率をより高めることができる。
【００７８】
（２）また、本実施形態では、貫通溝ｄと貫通突起ＡＤとは、カム機構により係合されている。従って、第３直進枠１３０に加えられる外力を、貫通溝ｄに係合された貫通突起ＡＤで受けることができるので、第３直進枠１３０と第２回転枠２２０との連結を強固することができる。
【００７９】
〈その他の実施形態〉
（Ａ）上記実施形態において、貫通溝ｄと貫通突起ＡＤとは、カム機構により係合されることとしたが、これに限られるものではない。例えば、貫通突起ＡＤは貫通溝ｄの内側面から離間しており、貫通突起ＡＤは貫通溝ｄに挿通されているだけにすぎなくてもよい。
【００８０】
（Ｂ）上記実施形態において、第２直線枠１２０が直進カムフォロアＡＢ２を有することとしたが、第２直線枠１２０に代えて第３直線枠１３０が直進カムフォロアＡＢ２を有していてもよい。この場合には、第３直線枠１３０に代えて第２直線枠１２０が貫通突起ＡＤを有していればよい。
【００８１】
（Ｃ）上記実施形態において、レンズ鏡筒２０は、３段沈胴式であることとしたが、これに限られるものではない。レンズ鏡筒２０は、４段以上の沈胴式であってもよい。
【００８２】
（Ｄ）上記実施形態では、２つの枠のうち一方の枠にカム溝ｂが形成され、他方の枠にカム突起Ｂが形成されているが、これに限られるものではない。２つの枠のうち一方の枠にカム突起Ｂが形成され、他方の枠にカム溝ｂが形成されていてもよい。また、２つの枠のそれぞれにカム溝ｂとカム突起Ｂとが形成されていてもよい。
【００８３】
（Ｅ）上記実施形態では、２つの枠のうち一方の枠に直進溝ａが形成され、他方の枠に直進突起Ａが形成されているが、これに限られるものではない。２つの枠のうち一方の枠に直進突起Ａが形成され、他方の枠に直進溝ａが形成されていてもよい。また、２つの枠のそれぞれに直進溝ａと直進突起Ａとが形成されていてもよい。
【００８４】
（Ｆ）上記実施形態では、２つの枠のうち一方の枠にバヨネット溝ｅが形成され、他方の枠にバヨネット突起Ｅが形成されているが、これに限られるものではない。２つの枠のうち一方の枠にバヨネット突起Ｅが形成され、他方の枠にバヨネット溝ｅが形成されていてもよい。また、２つの枠のそれぞれにバヨネット溝ｅとバヨネット突起Ｅとが形成されていてもよい。
【００８５】
（Ｇ）上記実施形態では、第３レンズ群枠３３０が沈胴状態において第２レンズ群枠３２０の側方に退避することとしたが、これに限られるものではない。第３レンズ群枠３３０は、沈胴状態において第２レンズ群枠３２０の後方に配置されてもよい。
【産業上の利用可能性】
【００８６】
ここに開示された技術によれば、コンパクト化可能なレンズ鏡筒を提供することができるので、例えば、カメラ、カメラ付き携帯電話、カメラ付きポータブル端末等に適用できる。
【符号の説明】
【００８７】
１    …デジタルカメラ
１０  …筐体
２０  …レンズ鏡筒
２１  …第１移動鏡筒部
２２  …第２移動鏡筒部
２３  …第３移動鏡筒部
２４  …固定鏡筒部
１００…固定枠
１１０…第１直進枠
１２０…第２直進枠
１３０…第３直進枠
２１０…第１回転枠
２１２…ギア部
２２０…第２回転枠
２４１…ズームモータ
２４２…ズームギア
３１０…第１レンズ群枠
３２０…第２レンズ群枠
３３０…第３レンズ群枠
３３５…シャッター枠
ａ１〜ａ６          …直進溝
Ａ１，Ａ３〜Ａ６  …直進突起
ｂ１〜ｂ５          …カム溝
Ｂ１，Ｂ３〜Ｂ５  …カムフォロア
ＡＢ２              …直進カムフォロア
ｄ                  …貫通溝
ＡＤ              …貫通突起
ｅ１〜ｅ３          …バヨネット溝
Ｅ１〜Ｅ３          …バヨネット突起
【図１】
0005958773.tif 000002
【図２】
0005958773.tif 000003
【図３】
0005958773.tif 000004
【図４】
0005958773.tif 000005
【図５】
0005958773.tif 000006
【図６】
0005958773.tif 000007
【図７】
0005958773.tif 000008
【図８】
0005958773.tif 000009
【図９】
0005958773.tif 000010
【図１０】
0005958773.tif 000011
【図１１】
0005958773.tif 000012
【図１２】
0005958773.tif 000013
【図１３】
0005958773.tif 000014
【図１４】
0005958773.tif 000015
【図１５】
0005958773.tif 000016
【図１６】
0005958773.tif 000017
【図１７】
0005958773.tif 000018